(57)【要約】【課題】前立て部の縫目を目立たなくして最近の流行やファッションの多様化に適合させ、また、ソフト化や肌触りの滑らかさ、薄地化を可能とし、履き心地を良好とし得る男性用下半身下着を提供すること。【解決手段】前側中央の前立て部２と、前立て部２の両側に縦方向の継ぎ目１１、１２で接合される両側の前身頃生地３、３と、両側の前身頃生地３、３に縦方向の継ぎ目１３、１４で接合される後身頃生地４と、これら生地の下部で接合されて内股部５及び両側足用開口部６を形成するシック部生地７、７と、前記各生地の上部に形成される穿き口８の周囲に縫着される腰ゴム９とからなり、前記前立て部２が内外二重の袋縫いで構成され、その縫目が袋縫いの内側に被覆された状態で縫製されている。【選択図】図１
2009235624.tif 000002
【特許請求の範囲】
【請求項１】
前側中央の前立て部と、前立て部の両側に縦方向の継ぎ目で接合される両側の前身頃生地と、両側の前身頃生地に縦方向の継ぎ目で接合される後身頃生地と、これら生地の下部で接合されて内股部及び両側足用開口部を形成するシック部生地と、前記各生地の上部に形成される穿き口の周囲に縫着される腰ゴムとからなり、
前記前立て部が内外二重の袋縫いで構成され、その縫目が袋縫いの内側に被覆された状態で縫製されていることを特徴とする男性用下半身下着。
【請求項２】
前記シック部生地が内外二重の袋縫いで構成され、その縫目が袋縫いの内側に被覆された状態で縫製されていることを特徴とする請求項１に記載の男性用下半身下着。
【請求項３】
前記前立て部は、４枚のマチ生地によって、前立て部が前方に膨出するように立体的に裁断縫製されていることを特徴とする請求項１又は２に記載の男性用下半身下着。
【請求項４】
前記前立て部、前身頃生地、後身頃生地及びシック部生地が、生地厚みがＪＩＳ−Ｌ−１０１８に準じて測定された場合に０．５ｍｍ以下であるニット生地で構成されていることを特徴とする請求項１〜３の何れかに記載の男性用下半身下着。
【発明の詳細な説明】
【技術分野】
【０００１】
本発明は、男性用下半身下着に関するものである。
【背景技術】
【０００２】
従来、前立て部を二重生地とし、この前立て部の二重生地の間から局部を出し入れして用便できるようにした男性用下半身下着が知られている（例えば、特許文献１参照）。
上記二重生地には、内外の生地で左右反対側に開口部が形成され、この開口部の周縁の解れ止めのためにテープ状縁生地が周縁に沿って重合縫着されている。
【特許文献１】特開平９−３０２５０１号公報
【発明の開示】
【発明が解決しようとする課題】
【０００３】
しかしながら、上記形態の従来の男性用下半身下着は、前面中央部にテープ状縁生地が縦方向に縫着されているため、この縫目が目立ち野暮ったく見えて最近の流行やファッションの多様化に適合しなくなりつつあり、改善が求められている。
また、最近では、男性用下半身下着においても、ソフト化や肌触りの滑らかさ、薄地化を好む需用者が増加してきている。
本発明は、最近の要望に対応して提案されたもので、前立て部の縫目を目立たなくして最近の流行やファッションの多様化に適合させ、また、ソフト化や肌触りの滑らかさ、薄地化を可能とし、履き心地を良好とし得る男性用下半身下着を提供することを目的としている。
【課題を解決するための手段】
【０００４】
前記目的を達成するために本発明は、前側中央の前立て部と、前立て部の両側に縦方向の継ぎ目で接合される両側の前身頃生地と、両側の前身頃生地に縦方向の継ぎ目で接合される後身頃生地と、これら生地の下部で接合されて内股部及び両側足用開口部を形成するシック部生地と、前記各生地の上部に形成される穿き口の周囲に縫着される腰ゴムとからなり、
前記前立て部が内外二重の袋縫いで構成され、その縫目が袋縫いの内側に被覆された状態で縫製されていることを特徴としている。
【０００５】
上記構成によれば、前立て部と前身頃との継ぎ目を構成する縫糸の縫目が目立たず、外観体裁を向上させることができ、また、前立て部を内外二重としてあるため、局部を良好に保持できると共に、薄い生地を使用した場合でも透けることがない。しかも、上記継ぎ目には、従来のテープ状縁生地のような嵩張りや、ごろつき感がなく、しなやかさや滑らかさを現出することができる。
前記シック部生地が内外二重の袋縫いで構成され、その縫目が袋縫いの内側に被覆された状態で縫製されていることを特徴としている。
【０００６】
上記構成によれば、股部の保護を良好とできると共に、薄い生地を使用した場合でも透けることがなく、シック部のダレ防止と強度向上が図れる。
前記前立て部は、４枚のマチ生地によって、前立て部が前方に膨出するように立体的に裁断縫製されていることを特徴としている。
上記構成によれば、局部を形良く納めて保護することができ、しかも、前立て部を構成している内外二重のマチ生地が、内側生地と外側生地とで分離しているため、内外生地間の自由度が高く、履き心地を良好とすることができる。
【０００７】
前記前立て部、前身頃生地、後身頃生地及びシック部生地が、生地厚みがＪＩＳ−Ｌー１０１８に準じて測定された場合に０．５ｍｍ以下であるニット生地で構成されていることを特徴としている。
上記構成によれば、下着全体を薄地化して、しなやかで肌触りとフィット性の良好なものとすることができ、しかして、前立て部及びシック部が透けることもない男性用下半身下着を提供することができる。
【発明の効果】
【０００８】
本発明によれば、前立て部の縫目を目立たなくして最近の流行やファッションの多様化に適合させ、また、ソフト化や肌触りの滑らかさ、薄地化を可能とし、履き心地を良好とし得る男性用下半身下着を提供することができる。
【発明を実施するための最良の形態】
【０００９】
以下、本発明の実施形態を図面に基づいて説明する。
図１〜図５において、本発明に係る男性用下半身下着１は、前側中央の前立て部２と、前立て部２の両側に縦方向の継ぎ目１１、１２で接合される両側の前身頃生地３、３と、両側の前身頃生地３、３に縦方向の継ぎ目１３、１４で接合される後身頃生地４と、これら生地の下部で継ぎ目１５、１６により接合されて内股部５及び両側足用開口部６、６を形成するシック部生地７と、前記各生地の上部に形成される穿き口８の周囲に縫着される腰ゴム９とからなり、全体をトランクス型とした場合を例示している。
【００１０】
前記前立て部２は、図１、図３及び図４に示すように、外側左右の２枚のマチ生地２ａ、２ｂと内側左右の２枚のマチ生地２ｃ、２ｄからなり、これらは、いずれも縦長舟形片形状に裁断されている。そして、外側左右の２枚のマチ生地２ａ、２ｂと内側左右の２枚のマチ生地２ｃ、２ｄは、図１、図３及び図４に示すように、先ず、両側の前身頃生地３、３を挟んで縫糸１１ａ、１２ａで縦方向に縫着されている。この場合、左右のマチ生地２ａ〜２ｄは、互いに分離した状態で裏返し状態として左右別々に前身頃生地３、３にそれぞれ縫着されている。次に、内外のいずれか一方、例えば、外側左右のマチ生地２ａ、２ｂ同士が縫糸１７ａで縦方向に縫着されて前立て部２の外側中央部に縦方向の継ぎ目１７が形成されている。続いて、これらの生地全体が裏返えされて内側左右のマチ生地２ｃ、２ｄ同士の縫い合わせ部が外側に出され、この状態で縫糸１８ａにより縦方向に縫着されて前立て部２の内側中央部に縦方向の継ぎ目１８が形成されている。この後、生地全体が表返しされ、これによって、前立て部２は、図４に示すように、内外二重の袋縫いで構成され、マチ生地２ａ〜２ｄと両側の前身頃生地３、３との縫糸１１ａ、１２ａ、１７ａ、１８ａによる縦方向縫目は袋縫いの内側に被覆された状態で縫製され、外側及び内側からは、生地同士の継ぎ目１１、１２、１７、１８が見えるだけとされている。
【００１１】
前記前立て部２のマチ生地２ａ〜２ｄは、左右のマチ生地同士を縫糸１７ａ、１８ａで縫着する際、内外で別々に縫着していることによって、内外のマチ生地間で生地相互の相対移動が可能となり、自由度が向上するよう配慮されている。さらに、左右のマチ生地２ａ、２ｂ及び２ｃ、２ｄ同士の縫い合わせ辺の形状を縦方向に直線とせず、凸円弧状として裁断し、この凸円弧状の辺同士を縫糸１７ａ、１８ａで縦方向に縫着していることによって、前立て部２が前方に膨出するように立体的に縫製できるように配慮されている。
両側の前身頃生地３，３と後身頃生地４とは、図１、図３及び図４に示すように、縫糸１３ａ、１４ａによって縦方向に縫着され、縦方向の継ぎ目１３、１４が形成されている。後身頃生地４は、左右方向の幅を広くした１枚生地で構成され、前身頃生地３、３との継ぎ目１３、１４が前側の両側寄りにくるように裁断縫製されている。
【００１２】
上記前立て部２のマチ生地２ａ〜２ｄの下部、前身頃生地３、３の下部及び後身頃生地４の下部には、図１、図２及び図５に示すように、シック部生地７が縫糸１５ａ、１６ａによって横方向に縫着され、これによって、内股部５及び両側足用開口部６、６が形成されている。
シック部生地７は、図３に示すように、横長の長方形状片として、同じ形状のものが２枚一組として裁断され、図５に示すように、前身頃生地３の下部と後身頃生地４の下部とがそれぞれ２枚のシック部生地７、７で挟まれて縫糸１５ａ、１６ａによって縫着されている。これによって、シック部生地７は、内外二重の袋縫いで構成され、前身頃生地３、３及び後身頃生地４との縫糸１５ａ、１６ａによる縫目が袋縫いの内側に被覆されて外側から見えない状態で縫製されている。このような縫製構造を実現するためには、図３において、２枚のシック部生地７、７の上辺７ａ、７ａと後身頃生地４の下部の逆Ｕ状の股部４ａとを縫糸１６ａで縫着し、次に、シック部生地７、７の下辺７ｂ、７ｂと前身頃生地３、３の下部の股部３ａ、３ａとを生地全体を裏返しの状態として縫糸１５ａで縫着する。この場合、前身頃生地３、３と後身頃生地４との継ぎ目１３、１４で接合する前にシック部生地７、７と前後身頃生地３、４との縫着を行うのが良い。即ち、シック部生地７、７の縫着後に前後身頃生地３、４の継ぎ目１３、１４を接合するのが良い。そして、最後に腰ゴム９が穿き口８の周囲に縫着されている。また、両側足用開口部６、６の周囲には、テープ状縁生地６ａ、６ａが縫着されて解れ止めされている。
【００１３】
前記前立て部２のマチ生地２ａ〜２ｄ、前身頃生地３、３、後身頃生地４及びシック部生地７、７は、本発明においては生地厚みがＪＩＳ−Ｌ−１０１８で測定して０．５ｍｍ以下のニット生地で構成されている。
一般的な下着用の天竺編地やフライス編地等は、４０番手前後の糸を２４〜２８ゲージのシングル編機を用いて編まれており、ＪＩＳ−Ｌ−１０１８に準じて生地厚みを測定した場合、０．６〜０．９ｍｍ程度である。上記において、ゲージ数とは、シングル丸編機の場合、シリンダの周方向において１インチあたりに配置される針本数のことである。
【００１４】
生地厚みは、糸の種類（素材、太さ、撚り数、ポリウレタンなどの弾性糸の混入状況等）や生地のセット条件や方法（プレセット時またはファイナルセット時の温度やテンション等）、編成時の条件（編機のゲージ数、糸長設計）で変わるものであるが、概ね、細い糸を用いて高いゲージの編機を用いて編成した生地は薄くなり、また編み目は密であり、かつ生地の表面が非常に滑らかである。
例えば、４４ゲージのシングル丸編機を用いて、７５〜９６番手の綿糸や綿・キュプラ混糸等で編成した天竺編地やフライス編地等においては、ＪＩＳ−Ｌ−１０１８に準じて生地厚みを測定した場合、０．３〜０．５ｍｍであった。
【００１５】
上記生地は、生地厚みが薄くソフトであり、また編み目は密でかつ生地の表面が滑らかであり、これを用いることで肌当たりが良く非常に履き心地のよい下着を得ることができた。
通常の編成方法やセット条件においては、細い糸を高ゲージの編機を用いて編成した場合、０．５ｍｍ以下の生地厚みとすることで滑らかな肌触りで、かつソフトな履き心地の下着を得ることができるものと考えられる。
このように生地厚みを薄くすることでソフトな履き心地を得られる一方、使用する糸を細くすることによる強度低下については、本発明の前立て部２及びシック部７、７等の前記した内外二重袋縫いとした構成により解決することができる。
【００１６】
本発明に係る男性用下半身下着１の実施形態は、以上の構成からなるため、前立て部２と前身頃生地３、３との継ぎ目１１、１２を形成している縫着部の縫目が目立たず、外観体裁を向上させることができる。また、前立て部２を内外二重としてあるため、局部の保護を良好とできると共に、薄い生地を使用した場合でも透けることがない。しかも、上記継ぎ目１１、１２には、従来のテープ状縁生地のような嵩張りや、ごろつき感がなく、しなやかさや滑らかさを現出することができる。
また、シック部生地７、７が内外二重の袋縫いで構成され、その縫目が袋縫いの内側に被覆された状態で縫製されているため、内股部５の保護を良好とできると共に、薄い生地を使用した場合でも透けることがなく、シック部のダレ防止と強度向上が図れる。
【００１７】
さらに、前立て部２は、４枚のマチ生地２ａ〜２ｄによって、前立て部２が前方に膨出するように立体的に裁断縫製されているため、局部を形良く納めて保護することができ、しかも、前立て部２を構成している内外二重のマチ生地２ａ〜２ｄが、内側生地２ｃ、２ｄと外側生地２ａ、２ｂとで分離しているため、内外生地間の自由度が高く、履き心地を良好とすることができる。
また、前立て部２、前身頃生地３、３、後身頃生地４及びシック部生地７、７が、生地厚みがＪＩＳ−Ｌ−１０１８に準じて測定された場合に０．５ｍｍ以下であるニット生地で構成されていることによって、下着全体を薄地化して、しなやかで肌触りとフィット性の良好なものとすることができ、しかして、前立て部２及びシック部（内股部５）が透けることもない男性用下半身下着１を提供することができる。
【００１８】
図示した実施形態は、本発明をトランクス型ニットパンツに適用した場合を例示しているが、本発明は、これ以外の他の型式のニットパンツ、例えば、ボクサーパンツ、ブリーフ型パンツ等に適用してもよい。
【図面の簡単な説明】
【００１９】
【図１】本発明に係る男性用下半身下着の正面図である。
【図２】本発明に係る男性用下半身下着の背面図である。
【図３】本発明に係る男性用下半身下着の各生地を分解した展開図である。
【図４】図１のＡ−Ａ線における概略断面図である。
【図５】図１のＢ−Ｂ線における概略断面図である。
【符号の説明】
【００２０】
１    男性用下半身下着
２    前立て部
３    前身頃生地
４    後身頃生地
５    内股部
６    両側足用開口部
７    シック部生地
８    穿き口部
９    腰ゴム
【図１】
2009235624.tif 000003
【図２】
2009235624.tif 000004
【図３】
2009235624.tif 000005
【図４】
2009235624.tif 000006
【図５】
2009235624.tif 000007